(57)【要約】【課題】  曲線レール部の曲率を小さくし上レールの前後巾を狭くできる。【解決手段】  閉状態で、一方及び他方引戸１ａ、１ｂの各上ランナーがそれぞれ左右に位置する外側曲進レール部１１と内側曲進レール部１２の各後端部に入り込み、且つ、中央引戸１ｃの各上ランナー２３が左右２個の湾曲レール部１３の各前端部に入り込むことで、各引戸１が上レール５の長手方向と平行な同一平面となるように並置される。開状態で、上レール５の右端又は左端で３枚の引戸が前後に重ねられる。各引戸１に設けたランナー２１、２２、２３を、ランナー本体２４の両側にそれぞれ１つずつ上ローラ２６を回転自在に取付けると共にランナー本体２４に上ローラ２６のローラ横軸２４ａと直交するローラ縦軸２４ｂ設けて構成する。ランナー２１、２２、２３のローラ縦軸２４ｂを引戸１に対して回転自在に取付ける。【選択図】        図１
2006112161.tif 000002
【特許請求の範囲】
【請求項１】
３枚の引戸を備えた引戸装置であって、閉じた状態で中央引戸と、中央引戸の一方の側方に配置される一方引戸と、中央引戸の他方の側方に配置される他方引戸とからなり、上記３枚の引戸を走行自在にガイドする上レールに、上レールの長手方向と直交する前後方向に並んで、一方引戸と他方引戸の各上端部にそれぞれ設けた左右２個の上ランナーを走行自在にガイドする共用レール部と、中央引戸の上端部に設けた左右２個の上ランナーを走行自在にガイドする中央引戸用レール部とが設けられ、上記共用レール部は、上レールの長手方向と平行に延びた前側直進レール部と、前側直進レール部の長手方向の両端側から後方に延びた左右２個の外側曲進レール部と、前側直進レール部の長手方向の両端側よりも内側に寄った２箇所からそれぞれ分岐して後方に延びた左右２個の内側曲進レール部とを備え、上記中央引戸用レール部は、上記前側直進レール部と平行な後側直進レール部と、後側直進レール部における上記左右２個の内側曲進レール部と対向する位置よりもそれぞれ内側に寄った２箇所から前側に向って半円形状に湾曲した左右２個の湾曲レール部とを備え、閉状態では、一方引戸の各上ランナー及び他方引戸の各上ランナーのうち一方の組のランナーがそれぞれ左側に位置する外側曲進レール部と内側曲進レール部の各後端部にそれぞれ入り込むと共に、他方の組のランナーがそれぞれ右側に位置する外側曲進レール部と内側曲進レール部の各後端部にそれぞれ入り込み、且つ中央引戸の各上ランナーが左右２個の湾曲レール部の各前端部にそれぞれ入り込むことで、各引戸が上レールの長手方向と平行な同一平面となるように並置され、開状態では、上レールの右端又は左端のいずれかにおいて３枚の引戸が前後に重ねて並置されるように構成され、この３枚の引戸が前後に重ねて並置される状態で、中央引戸の両ランナーが後側直進レール部に位置し、一方引戸又は他方引戸のいずれか一方の両ランナーが右側又は左側の外側曲進レール部と内側曲進レール部の各後端部に位置すると共にいずれか他方の両ランナーが前側直進レール部に位置し、上記各引戸に設けたランナーを、ランナー本体の両側にそれぞれ１つずつ上ローラを回転自在に取付けると共にランナー本体に上記上ローラのローラ横軸と直交するローラ縦軸を設けて構成し、上記ランナーのローラ縦軸を引戸に対して回転自在に取付けて成ることを特徴とする引戸装置。
【発明の詳細な説明】
【技術分野】
【０００１】
本発明は、引戸装置に関し、詳しくは閉じた状態で各引戸が段差無く一列に面一となる引戸装置に関するものである。
【背景技術】
【０００２】
従来から、３枚引戸の場合、各引戸が各々平行に直進移動して閉状態と右開き状態又は左開き状態となる引き違い式の引戸装置が知られている（例えば、特許文献１参照）。
【０００３】
ところが、上記特許文献１に見られる従来例では、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
また、親引戸の表面側に子引戸を開閉方向に移動自在に取付け、親引戸の裏面側に別の子引戸を開閉方向に移動自在に取付け、一方の子引戸を親引戸の表面側に、他方の子引戸を親引戸の裏面側に重ねることで開いた時に大きく開口させることができるようにした引戸装置が特許文献２に示してある。
【０００５】
この特許文献２に示された従来例では、レールの本数を少なくすることが可能であるが、親引戸に子引戸を走行自在にガイドするためのガイド溝、スライダを設ける必要があり、開状態ではガイド溝が露出して外観を悪くしてしまう。
【０００６】
なお、従来から公知の直線レールを走行するランナーとしてランナー本体の両側にそれぞれ１つずつ合計２個の上ローラを設け、該上ローラのローラ横軸と直交するローラ縦軸を設け、該ローラ縦軸を直線走行する引戸の上部に取付けるものも特許文献３により知られている。
【特許文献１】実開昭５１−１０３５２４号公報
【特許文献２】特開平１１−２２９７０３号公報
【特許文献３】特開平８−２１１４５号公報
【発明の開示】
【発明が解決しようとする課題】
【０００７】
本発明は上記の従来の問題点に鑑みて発明したものであって、全閉状態で３枚の引戸が一列に並んで連続した壁のような外観を呈することができ、また、上レール全体の前後方向の巾を狭くでき、しかも、上レール全体の前後方向の巾を狭くするために曲線レール部の曲率を小さくしてもスムーズにランナーが走行できる引戸装置を提供することを課題とするものである。
【課題を解決するための手段】
【０００８】
前記課題を解決するために本発明にあっては、引戸装置は、３枚の引戸１を備えた引戸装置であって、閉じた状態で中央引戸１ｃと、中央引戸１ｃの一方の側方に配置される一方引戸１ａと、中央引戸１ｃの他方の側方に配置される他方引戸１ｂとからなり、上記３枚の引戸を走行自在にガイドする上レール５に、上レール５の長手方向と直交する前後方向に並んで、一方引戸１ａと他方引戸１ｂの各上端部にそれぞれ設けた左右２個の上ランナー２１、２２を走行自在にガイドする共用レール部７と、中央引戸１ｃの上端部に設けた左右２個の上ランナー２３を走行自在にガイドする中央引戸用レール部８とが設けられ、上記共用レール部７は、上レール５の長手方向と平行に延びた前側直進レール部９と、前側直進レール部９の長手方向の両端側から後方に延びた左右２個の外側曲進レール部１１と、前側直進レール部９の長手方向の両端側よりも内側に寄った２箇所からそれぞれ分岐して後方に延びた左右２個の内側曲進レール部１２とを備え、上記中央引戸用レール部８は、上記前側直進レール部９と平行な後側直進レール部１０と、後側直進レール部１０における上記左右２個の内側曲進レール部１２と対向する位置よりもそれぞれ内側に寄った２箇所から前側に向って半円形状に湾曲した左右２個の湾曲レール部１３とを備え、閉状態では、一方引戸１ａの各上ランナー及び他方引戸１ｂの各上ランナーのうち一方の組のランナーがそれぞれ左側に位置する外側曲進レール部１１と内側曲進レール部１２の各後端部にそれぞれ入り込むと共に、他方の組のランナーがそれぞれ右側に位置する外側曲進レール部１１と内側曲進レール部１２の各後端部にそれぞれ入り込み、且つ中央引戸１ｃの各上ランナー２３が左右２個の湾曲レール部１３の各前端部にそれぞれ入り込むことで、各引戸が上レール５の長手方向と平行な同一平面となるように並置され、開状態では、上レール５の右端又は左端のいずれかにおいて３枚の引戸が前後に重ねて並置されるように構成され、この３枚の引戸が前後に重ねて並置される状態で、中央引戸１ｃの両ランナー２３が後側直進レール部１０の直線部分に位置し、一方引戸１ａ又は他方引戸１ｂのいずれか一方の両ランナーが右側又は左側の外側曲進レール部１１と内側曲進レール部１２の各後端部に位置すると共にいずれか他方の両ランナーが前側直進レール部９の直線部に位置し、上記各引戸１に設けたランナー２１、２２、２３を、ランナー本体の両側にそれぞれ１つずつ上ローラを回転自在に取付けると共にランナー本体２４に上記上ローラ２６のローラ横軸２４ａと直交するローラ縦軸２４ｂ設けて構成し、上記ランナー２１、２２、２３のローラ縦軸２４ｂを引戸１に対して回転自在に取付けて成ることを特徴とするものである。
【０００９】
このように３枚の引戸１が閉じた状態で一列に面一となるように配置されるように構成してあることで、３枚の引戸１を閉じた状態で隣接する引戸１間に段差が生じることがなくて、一連の連続した壁面としての外観を呈することができ、また、開いた状態で３枚の引戸１を前後に重ねた状態にして２枚分の引戸１を開いた状態にできる。しかも、このように、３枚の引戸１が閉じた状態で一列に面一となるように配置できると共に開いた状態で３枚の引戸１を前後に重ねた状態ニするに当たって、レール部としては、一方引戸１ａと他方引戸１ｂの各上端部にそれぞれ設けた左右２個の上ランナー２１、２２を走行自在にガイドする共用レール部７と、中央引戸１ｃの上端部に設けた左右２個の上ランナー２３を走行自在にガイドする中央引戸用レール部８との前後２列のレール部を形成するだけでよくて、上レール５全体の前後方向の巾を狭くできる。しかも、各引戸１に設けたランナー２１、２２、２３が、ランナー本体の両側にそれぞれ１つずつ上ローラを回転自在に取付けると共にランナー本体２４に上記上ローラ２６のローラ横軸２４ａと直交するローラ縦軸２４ｂ設け、上記ランナー２１、２２、２３のローラ縦軸２４ｂを引戸１に対して回転自在に取付けてあるので、共用レール部７に前側直進レール部９の長手方向の両端側から後方に延びた左右２個の外側曲進レール部１１と左右２個の内側曲進レール部１２とを備え、中央引戸用レール部８はに左右２箇所において前側に向って半円形状に湾曲した左右２個の湾曲レール部１３とを備えたものであるにもかかわらず、上記外側曲進レール部１１、内側曲進レール部１２、湾曲レール部１３の曲線部分における曲率半径をできるだけ小さくしても、ランナー２１、２２、２３の上ローラ２６がスムーズに走行でき、この点でも上レール５全体の前後方向の巾をいっそう狭くできるものである。
【発明の効果】
【００１０】
本発明にあっては、上記のように全閉状態で３枚の引戸が一列に連続して並んで連続した壁のように外観上の一体感を持たせることができて外観が良くなるものであり、また、上レール全体の前後方向の巾を狭くでき、特に、上レール全体の前後方向の巾を狭くするために曲線レール部の曲率を小さくしてもスムーズにランナーが走行できて、前後方向の巾の狭い上レールに対してランナーを走行させて、全閉状態で３枚の引戸が一列に連続して並んだ状態としたり、あるいは、開くことで３枚の引戸を前後に重ねた状態としたりする操作が容易に行えるものである。
【発明を実施するための最良の形態】
【００１１】
以下、本発明を添付図面に示す実施形態に基いて説明する。
【００１２】
本発明の引戸装置は、図１、図２に示すように３枚の引戸１を有し、閉じた状態で中央引戸１ｃと、中央引戸１ｃの一方の側方に配置される一方引戸１ａと、中央引戸１ｃの他方の側方に配置される他方引戸１ｂとで構成され、閉じた状態で上記３枚の引戸１が一列に並ぶだけでなく３枚全体が段差なく面一となるように配置されるようになっている。これにより例えばクローゼットの扉として用いた場合、３枚の引戸１が段差無く面一に連続した一連の壁としての外観を呈することができるようになっており、見栄えが良好となる。
【００１３】
上記３枚の引戸１は、図１に示すように、一方引戸１ａ側から他方引戸１ｂ側に移動して開く際には該一方引戸１ａを他方引戸１ｂの前方Ａに誘導し且つ中央引戸１ｃを他方引戸１ｂの後方Ｂに誘導するための誘導機構１９と、一方引戸１ａ側の操作力を中央引戸１ｃに伝達して中央引戸１ｃを一方引戸１ａに追従して開閉させるための連動機構１５とを備えている。
【００１４】
先ず、誘導機構１９は、引戸１の上部に各々取り付けられる上ランナー２１〜２３と、引戸１の下部に各々取り付けられる下ローラー２７と、上記上ランナー２１〜２３、下ローラー２７を走行自在にガイドする戸枠４に設けた上下レール５、６とで構成してある。
【００１５】
戸枠４は３枚の引戸１を開閉自在に取付けるための開口部に取付けられる矩形状の枠体であり、図２に示すように上記上下レール５、６と左右縦枠４ａとで構成してある。
【００１６】
ランナー２１〜２３は図９に示すようにそれぞれ引戸１の後面の上端部の左右方向の両端部に逆Ｌ字状をした逆Ｌ型金具２８を介して取付けてあり、ランナー２１〜２３は引戸１の上端部の後方に位置しており、ランナー２１〜２３を後述の上レール５に走行自在に取付けた場合、ランナー２１〜２３による上レール５の走行支持部分よりも前方にずれて引戸１が吊り下げされることになる。
【００１７】
上レール５は、図３に示すように、躯体に固定される上レール本体５０と、上レールカバー５１（実施形態では上レールカバー５１は長手方向において複数に分割してある）とに分割されていると共に、上レール本体５０と上レールカバー５１とが互いにネジ固定されるようになっている。
【００１８】
上レール本体５０に上レールカバー５１を取付けて構成した上レール５には、図３、図４に示すように、上レール５の長手方向Ｍと直交する前後方向Ａ，Ｂに並んで、溝状の共用レール部７と溝状の中央引戸用レール部８とが並設されている。共用レール部７は、一方及び他方引戸１ａ、１ｂ（すなわち右側の引戸１ａ、左側の引戸１ｂ）の各上端部の両端２箇所に設けた左右２個の上ランナー２１、２２をそれぞれ走行自在にガイドするものであり、中央引戸用レール部８は中央引戸１ｃの上端部に設けた左右２個の上ランナー２３を走行自在にガイドするものである。
【００１９】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。これら２本のレール部（共用レール部７、中央引戸用レール部８）で３枚引戸１をガイドすることで、上レール５全体の見込み寸法Ｆ（図４）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００２０】
また、上記中央引戸用レール部８は、前側直進レール部９に平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。なお図１、図３、図４中の１０ａ、１０ｂは、後側直進レール部１０の長手方向の中間部と左右の湾曲レール部１３との連通部分から分岐し後側直進レール部１０の中間部分から後側直進レール部１の左右両側部側に向けてそれぞれ連出した直進部であって、直進部１０ａには中央引戸１ｃを左端に寄せたときに中央引戸１ｃの右側の上ランナー２３が入り込む部分であり、１０ｂは、中央引戸１ｃを右端に寄せたときに中央引戸１ｃの左側の上ランナー２３が入り込む部分である。
【００２１】
上記共用レール部７に設けた左右２個の外側曲進レール部１１の後端部と、左右２個の内側曲進レール部１２の後端部と、中央引戸用レール部８における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は左側の引戸１（つまり他方引戸１ｂ）の左右の上ランナー２２間の距離に等しく、また、右側の外側曲進レール部１１の後端部と右側の内側曲進レール部１２の後端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００２２】
ここで、閉状態では、図１（ａ）に示す他方引戸１ｂの各上ランナー２２が左側に位置する外側曲進レール部１１と内側曲進レール部１２の各後端部にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部にそれぞれ入り込むことで、各引戸１が上レール５の長手方向Ｍと平行な同一平面となるように（つまり、３枚の引戸１が面一に連続するように）並置される。
【００２３】
一方、図６の右開き状態では、図１（ｅ）のように他方引戸１ｂの各上ランナー２２が左側に位置する外側曲進レール部１１と内側曲進レール部１２の各後端部にそれぞれ入り込み、中央引戸１ｃの左側の上ランナー２３が後側直進レール部１０の左側の端部に移動すると共に右側の上ランナー２３が直進部１０ａにそれぞれ移動し、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００２４】
また、図７の左開き状態では、一方引戸１ａの各上ランナー２１が右側に位置する外側曲進レール部１１及び内側曲進レール部１２の各後端部にそれぞれ入り込み、中央引戸１ｃの右側の上ランナー２３が後側直進レール部１０の右側の端部に移動すると共に左側の上ランナー２３が直進部１０ｂにそれぞれ移動し、且つ他方引戸１ｂの各上ランナー２２が前側直進レール部９の左側にそれぞれ移動することで、手前から順に他方引戸１ｂと一方引戸１ａと中央引戸１ｃとが重ねて並置される。
【００２５】
これら右開き状態と左開き状態とは任意に選択できるようになっている。つまり、誘導機構１９は、一方引戸１ａと中央引戸１ｃと他方引戸１ｂとを前後に重ねた状態で、中央引戸１ｃを他方引戸１ｂと重ならない位置に移動して他方引戸１ｂと面一となるように誘導し、且つ一方引戸１ａを他方引戸１ｂ及び中央引戸１ｃとは重ならない位置に移動して中央引戸１ｃと面一となるように誘導する機能も兼ねている。
【００２６】
なお、各引戸１の相互の突き合わせ部には、互いに対向する一対の隙間隠し用Ｌ形部材を取り付けてもよいが、例えば図１のように、各引戸１の突き合わせ面に斜め形状のカット部１７を設けて各引戸１間の隙間をなくすようにすることも可能である。
【００２７】
一方、各引戸１の上ランナー２１〜２３は、図８に示すようなものであり、ポリアセタールのような合成樹脂製のランナー本体２４に断面非円形（図８（ｂ）では断面Ｄ字状）の横孔２９を形成してあると共に該横孔２９と直交連通するようにランナー本体２４に断面円形の縦孔３０を形成し、横孔２９にローラ横軸２４ａの断面非円形をした嵌め込み部３１（図８（ｂ）では断面Ｄ字状をしている）を回転できないように嵌め込んで、ローラ横軸２４ａの両端部のランナー本体２４の両側から突出した部分にそれぞれ１個ずつ上ローラ２６を回転自在に取付けてあり、ローラ横軸２４ａの嵌め込み部３１の中間に設けた孔３２が上記縦孔３０に連通していて、上の縦孔３０の上開口からローラ縦軸２４ｂを回転自在に嵌め込んで孔３２、下の縦孔３０を挿通してローラ縦軸２４ｂの下部をランナー本体２４から下方に突出してある。このように構成した上ランナー２１〜２３は両側に１個ずつ合計２個の上ローラ２６を備え（つまり１軸のローラ構成となっており）、且つローラ縦軸２４ｂが、上ローラ２６を回転自在に取付けているローラ横軸２４ａと直交して交わっているものである。ローラ縦軸２４ｂの上端部の鍔部は上の縦孔３０の上端の大径孔部に嵌め込まれて下方に抜けないようになっており、ローラ縦軸２４ｂの下部が引戸１の上部に回転自在に取付けられる。
【００２８】
なお、ランナー本体２４とローラ横軸２４ａをポリアセタールのような合成樹脂により一体形成してもよく、また、ランナー本体２４とローラ横軸２４ａとローラ縦軸２４ｂとをポリアセタールのような合成樹脂により一体形成してもよい。これらの場合もローラ横軸２４ａとローラ縦軸２４ｂとは直交して交わっている。
【００２９】
ローラ縦軸２４ｂを引戸１の上部に回転自在に取付けるに当たって実施形態においては、図９に示すように引戸１の後面の上部の左右両端部にそれぞれ取付けた逆Ｌ型金具２８の上横片に回転自在に取付けてある。
【００３０】
一方、各引戸１の上面の左右両側にはそれぞれ上ランナー２１（又は上ランナー２２、又は上ランナー２３）が設けてある。この上ランナー２１〜２３は、図９に示すように、一対の上ローラー２６を備えたランナー本体２４と、ランナー本体２４の上面から上方に突出する２個の補助ローラー２５ａ（又は補助ローラ２５ｂ）とで構成されている。この補助ローラー２５ａ（又は補助ローラ２５ｂ）は図４（ａ）に示す分岐部材１８により曲進又は直進のいずれかに案内されるようになっている。
【００３１】
ここで、図４（ｂ）に示すように、一方引戸１ａ及び他方引戸１ｂの各右側端部に設けられた上ランナー２１（又は上ランナー２２）の上面の後方側にずれた位置に高さの低い２個の補助ローラ２５ａが上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラ２５ｂが上方に向けて突設してあり、また、中央引戸１ｃの右側端部に設けられた上ランナー２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナー２３の上面の前方側にずれた位置に高さの低い２個の補助ローラ２５ａにより構成される２連補助ローラ２５ａが上方に向けて突設してある。
【００３２】
分岐部材１８は、上レール５の下面に設けてられるもので、図４（ａ）に示す外側曲進レール部１１、内側曲進レール部１２、湾曲レール部１３の各分岐点に設けられた下方に開口した断面逆Ｕ字状をした補助レール１８ａ〜１８ｆで構成されている。補助レール１８ａは左側の外側曲進レール部１１の前側にずれた位置においてに外側曲進レール部１１沿って形成してあり、また、補助レール１８ｂは左側の内側曲進レール部１２の後側にずれた位置においてに内側曲進レール部１２沿って形成してあり、また、補助レール１８ｃは右側の外側曲進レール部１１の後側にずれた位置においてに外側曲進レール部１１沿って形成してあり、補助レール１８ｄは右側の内側曲進レール部１２の前側にずれた位置においてに内側曲進レール部１２沿って形成してあり、また、補助レール１８ｅは左側の湾曲レール部１３の前側にずれた位置においてに湾曲レール部１３沿って形成してあり、補助レール１８ｆは右側の湾曲レール部１３の後側にずれた位置においてに湾曲レール部１３沿って形成してある。
【００３３】
上記補助レール１８ａ，１８ｄ，１８ｆは上レール５の下面から下方に短く垂下し、また、補助レール１８ｂ，１８ｃ，１８ｅは上レール５の下面から下方に長く垂下している。
【００３４】
そして、図９に示す背の低い２連補助ローラー２５ａを有するランナー本体２４は、垂下長の短い補助レール１８ａ，１８ｄ，１８ｆ（図１２）と干渉することなく、垂下長の長い補助レール１８ｂ，１８ｃ，１８ｅ（図１２）に沿って曲進できるようになり、一方、背の高い２連補助ローラー２５ｂ（図１３）を有するランナー本体２４は、垂下長の短い補助レール１８ａ，１８ｄ，１８ｆに沿って曲進できるようになっている。従って、背の低い２連補助ローラー２５ａを有するランナー本体２４を前側直進レール部９の後方Ｂに沿って移動させることで、垂下長の短い補助レール１８ａ，１８ｄと干渉させることなく、垂下長の長い補助レール１８ｂ，１８ｃに誘導されるようになり、一方、背の高い２連補助ローラー２５ｂを有するランナー本体２４を前側直進レール部９の前方Ａを移動させることで、垂下長の短い補助レール１８ａ，１８ｄによって誘導されるようになっている。
【００３５】
上記のように背の低い補助ローラー２５ａ又は背の高い補助ローラ２５ｂによりガイドされながらランナー２１、２２、２３が外側曲進レール部１１、内側曲進レール部１２、湾曲レール部１３を走行する際、前述のように、各引戸１に設けたランナー２１、２２、２３が、ランナー本体２４の両側にそれぞれ１つずつ上ローラを回転自在に取付けると共にランナー本体２４に上記上ローラ２６のローラ横軸２４ａと直交するローラ縦軸２４ｂ設け、上記ランナー２１、２２、２３のローラ縦軸２４ｂを引戸１に対して回転自在に取付けてあるので、上記外側曲進レール部１１、内側曲進レール部１２、湾曲レール部１３の曲線部分における曲率半径をできるだけ小さくしても、ランナー２１、２２、２３の上ローラ２６がスムーズに走行できることになる。
【００３６】
つまり、ランナー本体２４の左右部分にそれぞれローラ横軸２４ｂを設け、各ローラ横軸の両端部にそれぞれ上ローラ２６を回転自在に設け、ランナー本体２４の左右方向の中間部分にローラ縦軸２４ｂを設けたランナー２１、２２、２３を各引戸１の上部の左右両端部に取付けることも考えられるが、これだと、２個で対となった上ローラ２６が前後にそれぞれ存在するため、つまり、２軸のローラ構成となるため、外側曲進レール部１１、内側曲進レール部１２、湾曲レール部１３の曲線部分における曲率半径を大きく取らなければ、ランナー２１、２２、２３をスムーズに走行させることはできないが、このように外側曲進レール部１１、内側曲進レール部１２、湾曲レール部１３の曲線部分における曲率半径を大きく取ると上レール５の前後巾が大きくなってしまい、せっかく本発明のように前後２列の共用レール部７、中央引戸用レール部８で３枚の引戸１を走行させるようにして上レール５全体の前後方向の巾を狭くしようとしたにもかかわらず、上記外側曲進レール部１１、内側曲進レール部１２、湾曲レール部１３の曲線部分における曲率半径を大きくしなければならない分上レール５全体の前後方向の巾を狭くするのに制約があるが、上記のようにランナー２１、２２、２３として上ローラ２６を両側に１個ずつ合計２個設けたもの（１軸のローラ構成）とすることで、外側曲進レール部１１、内側曲進レール部１２、湾曲レール部１３の曲線部分における曲率半径をできるだけ小さくすることが可能となり、この点でも上レール５全体の前後方向の巾をいっそう狭くできるものである。また、ローラ横軸２４ａとローラ縦軸２４ｂとを交差させて交わらせることで、ローラ縦軸２４ｂを引戸１に対して回転自在に取付けた場合における各ランナー本体２４の回転自由度を持たせることができ、上ランナー２１、２２、２３をコンパクトにすることが可能となり、この点でも上ランナー２１、２２、２３が走行する上レール５全体の前後方向の巾を狭くすることができる。
【００３７】
次に連動機構１５を説明する。図９に示すように、一方引戸１ａ及び他方引戸１ｂの把手側の上端部には、それぞれ、一方引戸１ａの上端部から中央引戸１ｃの移動経路Ｃに向って突出する傾斜連動金具１５ａが取り付けられている。中央引戸１ｃの両サイドの上端部には、傾斜連動金具１５ａに係脱可能な受け部材１５ｅが各々取り付けられている。これら傾斜連動金具１５ａと受け部材１５ｅとによって、一方引戸１ａ側の操作力を中央引戸１ｃに伝達して中央引戸１ｃを一方引戸１ａに連動して開閉させるための連動機構１５が構成されている。
【００３８】
ここで、上記傾斜連動金具１５ａは、基端から先端にいく程上記一方引戸１ａの開き方向Ｄとは反対方向に位置するように傾斜した押し側の傾斜ガイド面１５ｂと、押し側の傾斜ガイド面１５ｂの先端から一方引戸１ａの開き方向Ｄに向かって屈曲する係止面１５ｃと、係止面１５ｃの先端から押し側の傾斜ガイド面１５ｂと略平行に対向するように突出した引き側の傾斜ガイド面１５ｄとが一体形成されている。ここで、一方引戸１ａ側の操作力を中央引戸１ｃに効率良く伝達するためには、押し側の傾斜ガイド面１５ｂ及び引き側の傾斜ガイド面１５ｄを中央引戸１ｃの移動経路Ｃに対して直角に傾斜させるのが最も好ましい。そして、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが押し側の傾斜ガイド面１５ｂに片当たりし、さらに一方引戸１ａと中央引戸１ｃとが他方引戸１ｂを挟んで前後に離反する連動開始段階で、受け部材１５ｅが押し側の傾斜ガイド面１５ｂに押されてその押し操作力が中央引戸１ｃの移動経路Ｃと略平行な方向に向かって作用するようになり、逆に閉じる際には受け部材１５ｅが係止面１５ｃに係止した状態で中央引戸１ｃが閉じ位置に近づき、さらに連動終了直前段階に受け部材１５ｅが引き側の傾斜ガイド面１５ｄに引かれてその引き操作力Ｐ２が中央引戸１ｃの移動経路Ｃと略平行な方向に向かって作用するものである。
【００３９】
本例では上記受け部材１５ｅは、ローラーで構成されている。
【００４０】
次に動作を説明する。例えば、図１、図６に示すように、右側の一方引戸１ａを開く方向Ｄに移動して開く場合、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが傾斜連動金具１５ａの押し側の傾斜ガイド面１５ｂに片当たりし、さらに一方引戸１ａと中央引戸１ｃとが他方引戸１ｂを挟んで前後に離反する連動開始段階において図１０（ａ）に示すように、受け部材１５ｅが押し側の傾斜ガイド面１５ｂの基端側により押されてその押し操作力Ｐ１が中央引戸１ｃの移動経路Ｃと略平行な方向に向かって作用する。つまり、押し側の傾斜ガイド面１５ｂの基端から先端までのどの位置でも受け部材１５ｅに対しては、中央引戸１ｃの移動経路Ｃ（湾曲レール部１３のレール方向）と平行な操作力Ｐ１が作用するため、力のロスがなく、中央引戸１ｃがスムーズに斜め後方に向かって開かれるようになる。そして、図１（ｂ）→（ｃ）→（ｄ）のように、中央引戸１ｃと一方引戸１ａは前後に離反した段階で、受け部材１５ｅは傾斜連動金具１５ａの係止面１５ｃに係止した状態となり、この係止状態は一方引戸１ａ及び中央引戸１ｃが全開位置に至るまで持続される。
【００４１】
逆に、一方引戸１ａを閉じる方向Ｅに移動して閉じる際には、受け部材１５ｅは係止面１５ｃに係止した状態で一方引戸１ａと中央引戸１ｃとが連動して閉じられ、その後、連動終了直前段階において、図１０（ｂ）に示すように、受け部材１５ｅが引き側の傾斜ガイド面１５ｄに引かれ、その引き操作力Ｐ２が中央引戸１ｃの移動経路Ｃと略平行な方向に向かって作用する。これにより、図１０（ａ）の開く場合と同様に、力のロスがなく、中央引戸１ｃがスムーズに斜め前方に向かって移動することができる。なお中央引戸１ｃが閉位置に達すると、図１（ｄ）→（ｃ）→（ｂ）のように、受け部材１５ｅが引き側の傾斜ガイド面１５ｄから外れて連動が解除され、一方引戸１ａは単独で閉位置まで移動可能となる。
【００４２】
上記構成によれば、一方引戸１ａと中央引戸１ｃとを連動機構１５によって連動させることができるので、中央引戸１ｃを手で開閉する必要がなくなり、開閉操作がきわめて容易となると共に、連動機構１５は押し側の傾斜ガイド面１５ｂと係止面１５ｃと引き側の傾斜ガイド面１５ｄとを一体形成した簡単な構造であるため、コスト低減を図ることができる。
【００４３】
さらに、連動機構１５の押し側の傾斜ガイド面１５ｂ及び引き側の傾斜ガイド面１５ｄは、それぞれ、先端になる程上記一方引戸１ａの開き方向Ｄ（図１０）とは反対方向に傾斜しているため、一方引戸１ａと中央引戸１ｃとの連動開始段階では、中央引戸１ｃの受け部材１５ｅに対して一方引戸１ａの押し側の傾斜ガイド面１５ｂから加わる押し操作力Ｐ１の方向は中央引戸１ｃの移動経路Ｃと略平行となるため、一方引戸１ａの押し操作力Ｐ１を効率よく中央引戸１ｃに伝達することができる。また一方引戸１ａと中央引戸１ｃの連動終了直前段階では、中央引戸１ｃの受け部材１５ｅに対して一方引戸１ａの引き側の傾斜ガイド面１５ｄから加わる引き操作力Ｐ２の方向が中央引戸１ｃの移動経路Ｃと略平行となるため、一方引戸１ａの引き操作力Ｐ２を効率よく中央引戸１ｃに伝達することができ、結果、開閉いずれの場合も、中央引戸１ｃの滑らかな連動開閉が可能になる。つまり、操作力Ｐ１（Ｐ２）のほぼすべてが中央引戸１ｃの移動に寄与して、力のロスをなくすことができるので、小さな操作力で済む。この結果、開閉操作性が大幅に向上するものである。
【００４４】
しかも、受け部材１５ｅはローラーで構成されているため、連動開始段階及び連動終了直前段階において、それぞれ、傾斜連動金具１５ａと受け部材１５ｅとの摩擦が極力小さくなり、その際の開閉操作力をより一層低減することができる。
【００４５】
また本例では、図１に示すように、中央引戸１ｃの両端側にそれぞれ受け部材１５ｅを取り付け、一方引戸１ａの右端（把手側）、及び、他方引戸１ｂの左端（把手側）に、それぞれ、傾斜連動金具１５ａを取り付けた構成となっているため、左開きと右開きのいずれの場合も、連動機構１５が働く構造となる。つまり、３枚の引戸１が一列に段差なく面一に配置された全閉状態で、他方引戸１ａを一方引戸１ａ側に向けて移動する（実施形態では左側の引戸１である他方引戸１ｂを右側に移動する）ことで、連動機構１５により中央引戸１ｃを他方引戸１ｂに連動して移動すると共に、誘導機構１９により他方引戸１ｂを一方引戸１ａの前方側に重ねるように誘導し且つ中央引戸１ｃを一方引戸１ａの後方側に重ねるように誘導し、前から順に他方引戸１ｂ、一方引戸１ａ、中央引戸１ｃの順に重ねるように開くことができるものである。
【００４６】
なお、各引戸１の下端部の中央の１箇所には下ローラー２７が突設されている。下ローラー２７はＬ形金具（図示せず）を介して引戸１〜３の各下端部の中央位置に取り付けられている。下ローラー２７をガイドする下レール６には、図５に示すように、共用レール部１０１の長手方向Ｍの両端側から後方Ｂに向って傾斜した左右の曲進レール部４２，４３がそれぞれ設けられ、共用レール部１０１と平行で後ろ側に位置する中央引戸用レール部１０２の中央部から前方Ａに向って半円形状に湾曲した１つの湾曲レール部４４が設けられている。なお図５中の４５は分岐用補助レールである。
【００４７】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００４８】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に位置し、中央の引戸１ｃの下ローラー２７が湾曲レール部４４の前端部に位置し、他方引戸１ｂの下ローラー２７が左側の曲進レール部４２の後端部に位置する。また、図６（ｃ）の右開きの場合、他方引戸１ｂの下ローラー２７が左側の曲進レール部４２の後端部に位置し、一方引戸１ａの下ローラー２７が共用レール部１０１の直線部分の右端に位置し、中央の引戸１ｃの下ローラー２７が中央引戸用レール部１０２の直線部分の左端に位置する。また、図７（ｃ）の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。
【００４９】
このように下端部は１個の下ローラー２７で下レール６にガイドされる結果、各引戸１の走行の安定化を十分に図ることができると共に、１個の下ローラー２７を用いることで、下レール６の溝形状を上レール５の溝形状よりも簡易にでき、下レール６のコスト低減を図ることができる利点もある。
【００５０】
なお、本発明に係る引戸装置は、クローゼットの扉以外に各種の開閉扉の分野にも広く適用できるものである。
【図面の簡単な説明】
【００５１】
【図１】本発明の引戸装置の開閉動作を示し、（ａ）は３枚の引戸を面一に閉じた状態を示す概略平面図であり、（ｂ）（ｃ）（ｄ）は開閉途中の状態を示す概略平面図であり、（ｅ）は３枚の引戸を前後に重ねた全開状態を示す概略平面図である。
【図２】同上の面一に閉じた状態を示す背面図である。
【図３】同上の上レールを示し、（ａ）は上下反転した状態の斜視図であり、（ｂ）は同上の上下反転した状態の分解斜視図である。
【図４】（ａ）は同上の上レールにおける補助レールの配置を示す平面図であり、（ｂ）は３枚の引戸に設けたランナー、補助ローラの位置関係を示す説明図である。
【図５】同上の下レールを示す平面図である。
【図６】（ａ）（ｂ）（ｃ）は同上の右開きの操作順序を示す説明図である。
【図７】（ａ）（ｂ）（ｃ）は同上の左開きの操作順序を示す説明図である。
【図８】（ａ）は同上のランナーの斜視図であり、（ｂ）はランナーの分解斜視図である。
【図９】同上の連動機構を示す斜視図である。
【図１０】（ａ）は同上の連動機構の開操作時における動作を示す動作説明図であり、（ｂ）は閉操作時における動作を示す動作説明図である。
【図１１】同上の３枚の引戸が前後に重なっている状態を示す断面図である。
【図１２】同上の背の低い２連補助ローラーが垂下長の長い補助レールにガイドされている状態を示す断面図である。
【図１３】同上の背の高い２連補助ローラーが垂下長の短い補助レールにガイドされている状態を示す断面図である。
【符号の説明】
【００５２】
１  引戸
１ａ  一方引戸
１ｂ  他方引戸
１ｃ  中央引戸
５  上レール
７  共用レール部
８  中央引戸用レール部
９  前側直進レール部
１０  後側直進レール部
１１  外側曲進レール部
１２  内側曲進レール部
１３  湾曲レール部
２１  ランナー
２２  ランナー
２３  ランナー
２４  ランナー本体
２４ａ  ローラ横軸
２４ｂ  ローラ縦軸
２６  上ローラ
【図１】
2006112161.tif 000003
【図２】
2006112161.tif 000004
【図３】
2006112161.tif 000005
【図４】
2006112161.tif 000006
【図５】
2006112161.tif 000007
【図６】
2006112161.tif 000008
【図７】
2006112161.tif 000009
【図８】
2006112161.tif 000010
【図９】
2006112161.tif 000011
【図１０】
2006112161.tif 000012
【図１１】
2006112161.tif 000013
【図１２】
2006112161.tif 000014
【図１３】
2006112161.tif 000015